(57)【要約】  【課題】  ブリスターパックの大型化を伴うことなく、迅速、且つ、確実なピールオープンを行うことができる医療器具収納用ブリスターパックの提供を目的とする。  【解決手段】  プレシリンジ収納体１は、容器本体２０と蓋体１０とからなるブリスターパック１５の内部にプレシリンジ３０を収納してなる。このブリスターパック１５は、ピールオープン開始部３００とクロスオープン開始部１００，１１０とを備える。蓋体１０は、容器本体２０の主面に対して、ピールオープン開始部３００とクロスオープン開始部１００，１１０とを除いて貼着され、ピールオープン開始部３００とクロスオープン開始部１００，１１０とは非着領域として互いに独立した位置関係で形成されており、かつ、クロスオープン開始部１００，１１０には、貼着部４０まで達しない切込み部１０５，１１５が形成されている。  【選択図】  図２
2006168769.tif 000002
【特許請求の範囲】
【請求項１】
容器本体と当該容器本体の主面を覆う蓋体とからなる医療器具収納用ブリスターパックであって、
前記蓋体は、容器本体の主面に対して、ピールオープン開始部とクロスオープン開始部とを少なくとも除いて貼着されていると共に、ピールオープン開始部とクロスオープン開始部とは非着領域として互いに略独立した位置関係で形成されており、かつ、クロスオープン開始部には、貼着部分まで達しない切込み部が形成されていることを特徴とする医療器具収納用ブリスターパック。
【請求項２】
容器本体と当該容器本体の主面を覆う蓋体とからなる医療器具収納用ブリスターパックであって、
前記蓋体は、容器本体の主面に対して、ピールオープン開始部とクロスオープン開始部とを少なくとも除いて貼着されていると共に、ピールオープン開始部とクロスオープン開始部とは非着領域として互いに略独立した位置関係で形成されており、かつ、クロスオープン開始部には、先端部分が貼着部分に達してから前記ピールオープン開始部側に斜行する形状に切込み部が形成されていることを特徴とする医療器具収納用ブリスターパック。
【請求項３】
前記クロスオープン開始部の縁は、前記医療器具側へと入り込んでおり、当該入り込み量が、前記切込み部の先端に近づくほど深くなっていることを特徴とする請求項１又は２に記載の医療器具収納用ブリスターパック。
【請求項４】
前記クロスオープン開始部の外縁は、平面視で「Ｕ」字状をしていることを特徴とする請求項１又は２に記載の医療器具収納用ブリスターパック。
【請求項５】
前記医療器具は、ピールオープン開始部に近い側で幅が狭くなっている幅狭部分を有し、
前記容器本体における医療器具が収納される凹部は、前記幅狭部分に対応する箇所からピールオープン開始部側の幅が、前記幅縮小部分の幅よりも緩やかに減少していることを特徴とする請求項１〜４の何れか１項に記載の医療器具収納用ブリスターパック。
【請求項６】
前記医療器具は、長尺状のプレフィルドシリンジであり、当該プレフィルドシリンジに対応して、前記ブリスターパックも長尺状に構成され、
前記ピールオープン開始部は、前記ブリスターパックの長手方向の一端に形成されていることを特徴とする請求項１〜５の何れか１項に記載の医療器具収納用ブリスターパック。
【請求項７】
ブリスターパック内に医療器具が収納された構成の医療器具収納構造体であって、
前記ブリスターパックは、請求項１〜６の何れか１項に記載の医療器具収納用ブリスターパックであることを特徴とする医療器具収納構造体。
【発明の詳細な説明】
【技術分野】
【０００１】
本発明は、医療器具を収納するための医療器具収納用ブリスターパック及びブリスターパック内に医療器具が収納されてなる医療器具収納構造体に関する。
【背景技術】
【０００２】
医療器具は、使用されるまでは清潔な環境下で保管される必要があり、例えば、ブリスターパック内に密閉状態で収納される。このブリスターパックは、収納部を有する容器本体と、容器本体の主面に貼着されて収納部を覆う蓋体とからなる。
一方、医療器具、例えば、プレフィルドシリンジ（以下、「プレシリンジ」とする。）は、患者に対して迅速な処置が求められる場面が多く、このようなプレフィルドシリンジを収納するブリスターパックには、内部のプレシリンジを素早く且つ容易に取り出せる構造が要求される。
【０００３】
ブリスターパックには、２種類の開封方法でプレシリンジを取り出すことができるものがある（例えば、特許文献１）。第１の開封方法は、ブリスターパックの端部から蓋体を容器本体から引き剥がす、所謂、ピールオープンである。第２の開封方法は、ブリスターパックの端縁であって収納部を横切る位置に形成されている切込み部からブリスターパックを引き裂く、所謂、クロスオープンである。
【特許文献１】実開平３−７８５４２号公報
【発明の開示】
【発明が解決しようとする課題】
【０００４】
しかしながら、上記のブリスターパックでは、両方の開封方法でプレシリンジを取り出し可能な構造としたため、例えば、ピールオープン時に、クロスオープンのために形成された切込み部の先端から蓋体が破けてしまうことが起こり、収納部内のプレシリンジを取り出せない或いは取り出し難いという問題がある。
図５は、ピールオープン時の蓋体の破れを説明するための図である。
【０００５】
プレシリンジ収納体９０１は、同図に示すように、容器本体９２０と蓋体９１０とからなるブリスターパック９０３内に長尺状のプレシリンジ３０が収納されてなる。
ブリスターパック９０３における長手方向の一端（短辺に相当する）を含む所定の範囲は、容器本体９２０と蓋体９１０とが貼着されておらず、ピールオープン時に蓋体９１０を引き剥がすための起点となる。なお、容器本体９２０と蓋体９１０とが貼着されていない前記範囲を、以下、「ピールオープン開始部」といい、符号「９０５」を用いる。
【０００６】
また、ブリスターパック９０３の長辺側の各端縁部には、端縁から内方へと延伸する切込み部９１２，９１４が形成されている。
ピールオープン時には、蓋体９１０におけるピール開始部９０５に対応する部分９１６を把持して、図５の（ａ）に示すように、プレシリンジ３０の長手方向（図中矢印Ａで表示する。）に沿って蓋体９１０を引き剥がす。
【０００７】
蓋体９１０の剥がし中に、例えば、図５の（ｂ）に示すように、プレシリンジ３０の長手方向に対して斜め方向に蓋体９１０を引き剥がすと、切込み部（ここでは、切込み部９１２）の先端に当該切込み部（９１２）の伸びる方向に力が作用し、図５の（ｃ）に示すように、切込み部（９１２）の先端から引き剥がしている方向に沿って蓋体９１０が斜めに破れてしまうのである。
【０００８】
図５の（ｃ）に示す状態では、収納されているプレシリンジ３０を取り出すことはできず、蓋体９１０における斜めに破れている部分９１８を再度把持して、蓋体９１０を剥がしてプレシリンジ３０を取り出すことになり、その取り出しに手間がかかる。特に、医療現場において迅速な処置が要求されている場合に、上記事態が起こり得る可能性は高くなり、その重要性は顕著なものとなる。
【０００９】
なお、長辺側の端縁部を残して収納部の開口を囲む状態で、容器本体と蓋体とを貼着し、非着状態の前記端縁部に切込み部を形成すると、ピールオープン時に発生する蓋体の破れ少なくできるが、前記端縁部は収納部の気密性等に寄与しない余分な部分であり、結果的に、ブリスターパックの大型化につながる。
また、上記とは別に、ピールオープン開始部とクロスオープン開始部とを一体（同じ領域内に）に設け、この部分に切込み部を形成すると、ブリスターパックの大型化を招くことはないが、例えば、蓋体におけるピールオープン開始部に対応する部分の隅を把持して、ピールオープンしようとしたときに、蓋体の容器本体からの剥がれよりも先に、切込み部から蓋体が破れてしまうようなことが生じる。
【００１０】
本発明は、上記のような問題点に鑑みてなされたもので、大型化を伴うことなく、迅速、且つ、確実なピールオープンを行うことができる医療器具収納用ブリスターパック及び医療器具収納構造体の提供を目的とする。
【課題を解決するための手段】
【００１１】
上記目的を達成するために、本発明に係る医療器具収納用ブリスターパックは、容器本体と当該容器本体の主面を覆う蓋体とからなり、前記蓋体は、容器本体の主面に対して、ピールオープン開始部とクロスオープン開始部とを少なくとも除いて貼着されていると共に、ピールオープン開始部とクロスオープン開始部とは非着領域として互いに略独立した位置関係で形成されており、かつ、クロスオープン開始部には、貼着部分まで達しない切込み部が形成されていることを特徴としている。
【００１２】
ここでいう「非着領域として互いに略独立した」とは、非着領域同士が連続してあるのではなく、貼着部分によって分離していることを意味し、前記分離には、非着領域同士が、完全に分離している場合と、発明の効果が奏する程度に少し連続した状態で独立している場合とを含む概念である。つまり、非着領域同士が、完全に分離している方が好ましいが、前記非着領域同士が多少貼着部分を介して接続していても良い。
【００１３】
この構成によると、切込み部が容器本体と蓋体との貼着部分に形成されていない、つまり、容器本体と蓋体とが貼着されていない非着領域内に切込み部が形成され、切込み部の先端が貼着部分にまで達していないので、蓋体を容器本体から引き剥がしてピールオープンする時も、引き剥がし力の大部分が貼着部分に作用し、蓋体がスムーズに引き剥がれ、蓋体が破れるようなことを少なくできる。
【００１４】
また、上記目的を達成するために、本発明に係る医療器具収納用ブリスターパックは、容器本体と当該容器本体の主面を覆う蓋体とからなり、前記蓋体は、容器本体の主面に対して、ピールオープン開始部とクロスオープン開始部とを少なくとも除いて貼着されていると共に、ピールオープン開始部とクロスオープン開始部とは非着領域として互いに略独立した位置関係で形成されており、かつ、クロスオープン開始部には、先端部分が貼着部分に達してから前記ピールオープン開始部側に斜行する形状に切込み部が形成されていることを特徴としている。
【００１５】
ここでいう「非着領域として互いに略独立した」とは、非着領域同士が連続してあるのではなく、貼着部分によって分離していることを意味し、前記分離には、非着領域同士が、完全に分離している場合と、発明の効果が奏する程度に少し連続した状態で独立している場合とを含む概念である。つまり、非着領域同士が、完全に分離している方が好ましいが、前記非着領域同士が多少貼着部分を介して接続していても良い。
【００１６】
この構成によると、先端が傾斜していない切込み部が形成されたものに比べて、ピールオープン時に発生する蓋体の破れを少なくできる。
また、上記目的を達成するために、本発明に係る医療器具収納構造体は、ブリスターパック内に医療器具が収納された構成の医療器具収納構造体であって、前記ブリスターパックは、上記構成の医療器具収納用ブリスターパックであることを特徴としている。
【００１７】
この構成によると、上記ブリスターパックを用いているので、収納されている医療器具を取り出す際に、ピールオープンするために、蓋体を容器本体から引き剥がしても、蓋体が破れるようなことを少なくできる。
【発明の効果】
【００１８】
本発明に係る医療器具収納用ブリスターパックは、ピールオープン時に蓋体が破れ難いので、迅速、且つ、確実なピールオープンを行うことができる。
また、例えば、収納される医療器具が、その端部が中央部より細い場合に、当該医療器具の形状に対応させてブリスターパックの貼着部の内周縁を医療器具側に張り出さすことができる。そして、この張り出しにより、ブリスターパックの外周縁から貼着部の内周縁までの距離を大きくなり、この距離が大きくなった部分にクロスオープン開始部を設ければ、ブリスターパックの大型化を招くこともない。なお、これにより材料費のコストアップも防ぐことができる。
【００１９】
さらに、ピールオープン開始部とクロスオープン開始部とが、略独立した位置関係にあるので、例えば、蓋体におけるピールオープン開始部に対応する部分の隅を把持して、ピールオープンしようとしたときに、蓋体の容器本体からの剥がれよりも先に、切込み部から蓋体が破れてしまうようなことを防ぐことができる。
また、本発明に係る医療器具収納構造体は、ピールオープン時に、蓋体が破れ難い構造の医療器具収納用ブリスターパックを用いているので、医療器具をブリスターパックから取り出す際に、迅速、且つ、確実なピールオープンを行うことができる。
【発明を実施するための最良の形態】
【００２０】
まず、本発明に係る医療器具収納構造体及び医療器具収納用ブリスターパックの全体構成について説明する。
ブリスターパックは、医療器具が収納される容器本体と、当該容器本体の主面を覆う蓋体とからなり、蓋体と容器本体とが、ピールオープン開始部とクロスオープン開始部とを少なくとも除いて貼着されており、当該貼着部は、容器本体における医療器具が収納される部分を取り巻くように形成されている。そして、このクロスオープン開始部に切込み部が形成されている。
【００２１】
なお、ブリスターパック内に収納される医療器具は、長尺状のものであって、その代表的なものがプレフィルドシリンジであるが、例えば、内部に薬液が封入されていないシリンジ、さらには、シリンジ以外の医療器具、例えば、カテーテル、等であっても良い。
さらに、医療器具は、プレシリンジのような長尺状に限定するものではなく、例えば、ブロック状であっても良い。
【００２２】
また、ブリスターパックは、別々に形成された蓋体と容器本体とが貼着されていているものでもよいし、一枚の被覆材を折り返して医療器具を収納するようなものでも構わない。
そして、ビールオープン時に切込み部の先端部から蓋体の破れが生じるのを抑えるために、上記の切込み部は、その先端が貼着部に到達しないことが好ましいが、貼着部内に切込み部の先端が多少入っていても構わない。但し、その場合、貼着部内に形成されている切込み部の先端は、貼着部を垂直に横切るのではなくピールオープン開始部側へ斜行していることが好ましい。
【００２３】
以下、実施の形態として、ブリスターパックにプレフィルドシリンジ（以下、「プレシリンジ」という。）が収納されてなるプレシリンジ収納体についてそれぞれ図面を参照しながら説明する。
１．全体構成
図１は、プレシリンジ収納体の構成を説明するための分解斜視図であり、図２の（ａ）は、プレシリンジ収納体の平面図、（ｂ）はプレシリンジ収納体の縦断面図である。
【００２４】
プレシリンジ収納体（本発明の「医療器具収納構造体」に相当する。）１は、図１及び図２に示すように、医療器具、例えば、長尺状のプレシリンジ３０が、蓋体１０及び容器本体２０とからなるブリスターパック１５によって密封状に収納されてなる。
なお、本明細書で使用する方向は、プレシリンジ３０を基準として説明する。つまり、プレシリンジ３０の長手方向（図１及び図２の（ａ）におけるＸ方向）を、単に「長手方向」とし、また、プレシリンジ３０の長手方向と直交する方向（図１及び図２の（ａ）におけるＹ方向）を、単に、「短手方向」とし、ブリスターパック１５等の説明の際にも用いる。
【００２５】
２．プレシリンジの構成
プレシリンジ３０は、図１及び図２の（ｂ）に示すように、シリンジ部３１に薬液３３が充填された後、プランジャ部３２によって封止されている。
シリンジ部３１は、図１に示すように、筒状（例えば、円筒状）のシリンジ本体部３１１と、このシリンジ本体部３１１の先端に形成されたルアー部３４と、前記シリンジ本体部３１１の後端に形成されたフランジ部３１２とを有している。なお、ルアー部３４は、内部の薬液３３の流出或いは漏洩を防止するためにカバー部材３５によって覆われている。また、フランジ部３１２は、シリンジ本体部３１１の長手方向と直交する方向（シリンジ本体部３１１の径方向である。）であって、相反する方向に延出している。
【００２６】
プランジャ部３２は、プランジャ本体部３２１と、このプランジャ本体部３２１の先端に設けられたパッキン部３２２と、前記プランジャ本体部３２１の後端に鍔状に形成された後端部３２３とを有している。なお、プレシリンジ３０は、シリンジ部３１のフランジ部３１２からプランジャ部３２の後端部３２３側、つまり、プランジャ本体部３２１がフランジ部３１２に対して急激に細くなっている。
【００２７】
パッキン部３２２は、シリンジ部３１の内部に封入されている薬液３３が漏洩しないように、例えば、弾性変形可能なゴム製のパッキンがプランジャ本体部３２１の先端部に周設されている。後端部３２３は、ここでは、略円盤状をしており、その張り出し量は、シリンジ部３１におけるフランジ部３１２の張り出し量よりも少ない。
３．ブリスターパック
ブリスターパック１５は、図１及び図２に示すように、プレシリンジ３０を完全に収納する収納部２１と当該収納部２１の開口縁２１ａから鍔状に張り出す平坦部２２との２部材からなる容器本体２０と、当該容器本体２０を覆う蓋体１０とからなる。なお、このブリスターパック１５は、従来技術の欄で説明したように、ピールオープンとクロスオープンの２種類の開封方法で、内部のプレシリンジ３０を取り出せるようになっている。
【００２８】
なお、ブリスターパックは、ピールオープン及びクロスオープン機能を共に備え、且つ、貼着部によってピールオープンの確実な実施が阻害されない機能を有するパックであれば、例えば一枚のフィルム材を用いて医療器具を収納するような構成を有しても構わない。この場合、一枚のフィルム材を折り返して容器本体と蓋体とを構成することになるが、ピールオープン時には、前記折り返しに対向する端部から当該折り返し部に向かって蓋体を引き剥がす必要があり、折り返し部と対向する端部側にピールオープン開始部が形成される。
【００２９】
ブリスターパック１５は、容器本体２０の収納部２１にプレシリンジ３０が配された状態で、蓋体１０が、容器本体２０の平坦部２２における収納部２１の開口が位置する側の面（図１位における上面であって、以下、「主面」という。）２２ａに対して、ピールオープン開始部３００とクロスオープン開始部１００，１１０とを除いて貼着されてなる。
なお、実施の形態での蓋体は、平坦なフィルム形状をしていたが、例えば、蓋体も、収納部を有する容器本体のような形状をしていても良いし、両者が同様な形状であっても良い。この場合、医療器具が配される収納部を有する方が容器本体となる。ここでは、容器本体２０の収納部２１は、医療器具（３０）を完全に収納できる大きさであったが、例えば、医療器具の収納部側の半分だけが収納部に入る大きさであっても良い。
【００３０】
また、ここでは、ピールオープン開始部３００とクロスオープン開始部１００，１１０を除いて蓋体１０と容器本体２０の主面２２ａとが貼着されていたが、ピールオープン開始部とクロスオープン開始部との両部分以外の領域で蓋体と容器本体とが貼着されていなくても良い。
このような例としては、医療器具収納構造体の製造工程において、上記のピールオープン開始部とクロスオープン開始部以外の領域で蓋体と容器本体との間で非着領域を設け、この非着領域の容器本体だけを掴んで搬送する場合があり、搬送時に使用した非着領域がそのまま残存しているようなときである。
【００３１】
ここで、蓋体１０及び容器本体２０とを貼着している部分（以下、「貼着部」という。）４０は、図２の（ａ）において網掛けで表示すように、収納部２１の開口を囲むように全周にある。これにより、プレシリンジ３０が密閉した状態でブリスターパック１５内に収納される。
なお、容器本体２０と蓋体１０とは、例えば、熱可塑性樹脂により構成され、貼着部４０は、例えば、熱融着により行われる。但し、容器本体と蓋体とは、両者が貼着されることにより、医療器具を密封状態で収納する収納部が形成されれば、蓋体と容器本体との貼着は、例えば、接着剤を利用した接着でも良い。
【００３２】
クロスオープン開始部１００，１１０及びピールオープン開始部３００は、蓋体１０と容器本体２０とが貼着していない状態（容器本体２０の平坦部２２に蓋体１０が単に重ねられた状態）の非着領域となっており、図２の（ａ）に示すように、非着領域として互いに独立した位置関係にあり、その間に貼着部４０の一部が介在している。
ピールオープン開始部３００は、プレシリンジ３０の軸を延ばした仮想線分とブリスターパック１５の外周縁とが交差する部分を含む位置に形成されている。ここでは、ブリスターパック１５は、平面視で略矩形状をしており、前記ブリスターパック１５の短辺に対応する端部から長手方向に所定量入り込む範囲に、前記ピールオープン開始部３００が形成されている。なお、前記所定量は、ブリスターパックの大きさ、蓋体と容器本体との貼着力によって決定される。
【００３３】
また、ここでは、ピールオープン開始部３００は１つであったが、例えば、実施の形態におけるブリスターパックの長手方向のもう一つの端部にピールオープン開始部があっても良い。また、ピールオープン開始部の形状・大きさは特に限定するものではない。例えば、ブリスターパックの平面視形状が矩形状の場合、４つの隅部の内、１つ以上の隅部にピールオープン開始部を形成すれば良い。
【００３４】
また、ここでのブリスターパック１５の形状は、平面視で矩形状であったが、他の形状であっても良い。例えば、プレシリンジのような長尺状のものを収納する際には、長径軸がプレシリンジの長手方向に相当するような楕円形状であっても良い。当然、矩形状の短辺に相当する部分の形状が円弧状であっても良い。なお、ブリスターパックを平面視したときに、外周縁の形状が閉曲線の場合、実施の形態にような明確な端縁がなく、本発明の「縁」は、周縁となる。
【００３５】
さらに、ピールオープン開始部３００についての詳細な位置を説明すると、収納されているプレシリンジ３０のプランジャ部３２側の後端部３２３が位置する側に設けられている。これは、プレシリンジ３０をブリスターパック１５から取り出すときに、シリンジ部３１よりもプランジャ部３２の方が持ち易いからである。
なお、貼着部４０は、ピールオープン開始部３００側において、ピールオープン開始部３００と貼着部４０との境界線４０ａが、図２の（ａ）に示すように、短手方向の中央部から、ブリスターパック１５の長辺に対応する端縁側に移るに従って引き剥がし方向（長手方向であってピールオープン開始部３００がある側と反対側）に入り込むように形成されている。
【００３６】
一方、クロスオープン開始部１００，１１０は、容器本体２０の収納部２１を短手方向に横切る位置に形成され、例えば、ブリスターパック１５の長辺に対応する各端縁から内側に入り込むように形成されている。なお、ここでは、短手方向の同一線上に、２つのクロスオープン開始部１００，１１０が位置している。
ここで、クロスオープン開始部１００，１１０の形成位置について詳細に説明する。
【００３７】
図３は、プレシリンジが配されている容器本体の平面図である。なお、図中の２点鎖線は、貼着部４０の内周縁を示している。
収納部２１に収納されるプレシリンジ３０は、上述したが、そのプランジャ部３２における後端部３２３の張り出し量が、フランジ部３１２の張り出し量よりも少なくなっている。一方、収納部２１における短手方向の寸法も、特に図３に示すように、プレシリンジ３０の形状に合わせて、フランジ部３１２を収納する部分の寸法Ｗ１よりも後端部３２３を収納する部分の寸法Ｗ２の方が小さくなっている。
【００３８】
これにあわせて、貼着部４０の内周縁も、図２の（ａ）に示すように、フランジ部３１２を収納する部分よりも後端部３２３を収納する部分の方が内側に入り込んでいる。つまり、ブリスターパック１５の長辺に対応する端縁から貼着部４０の内周縁までの短手方向の寸法が、後端部３２３を収納する部分の寸法Ｌ２の方が、プレシリンジ３０の中央部（例えば、フランジ部３１２）を収納する部分の寸法Ｌ１よりも広くなっている。そして、この広くなった部分に上記のクロスオープン開始部１００，１１０が設けられている。
【００３９】
各クロスオープン開始部１００，１１０には、図２の（ａ）に示すように、クロスオープン開始部１００，１１０内に位置するブリスターパック１５の端縁１００ａ，１１０ａから内方へ、具体的には、短手方向に延伸する切欠き部１０５，１１５が形成されている。切込み部１０５，１１５の延伸方向は、短手方向であって、略直線状に形成されているが、その先端は貼着部４０にまで達していない。
【００４０】
クロスオープン開始部１００，１１０は、短手方向の同一線上に形成されており、切込み部１０５，１１５も、同様に、短手方向の同一線上に位置する。
なお、切込み部１０５，１１５は、蓋体１０及び容器本体２０の両方に形成されている。この切込み部１０５，１１５は、容器本体２０と蓋体１０とを貼着した後に、打ち抜き加工等によって形成されるが、ここでは便宜上、図１、図３及び図４において、蓋体１０の切込み部を符号「１０５ａ」，「１１５ａ」で、また、容器本体２０の切込み部を符号「１０５ｂ」，「１１５ｂ」で夫々表示している。
【００４１】
ここで、クロスオープン開始部１００，１１０の外縁は、切込み部１０５，１１５が形成されているブリスターパック１５の端縁１００ａ，１１０ａから内方（プレシリンジ３０）側へと入り込んでおり、当該入り込み幅（短手方向の寸法）が、切込み部１０５，１１５の先端に近づくに従って深くなる形状をしている。
換言すると、クロスオープン開始部１００，１１０の外縁は、切込み部１０５，１１５が形成されているブリスターパック１５の端縁１００ａ，１１０ａから内方（プレシリンジ３０）側へ離れるほど長手方向の寸法が狭くなる形状をしている。具体的には、平面視において短手方向を長軸とする半楕円状をしている。
【００４２】
なお、クロスオープン開始部１００，１１０の平面視形状は、実施の形態で説明した半楕円状に限定するものでなく、例えば、「Ｖ」字状、「Ｕ」字形状、斜辺の傾きが同じである台形状等であっても良い。
また、ここで３の切込み部１０５，１１５は、短手方向に直線状に延伸していたが、本発明に係る切込み部は、これに限定するものではない。例えば、短手方向に対して所定の角度を有して直線状に延伸していても良いし、曲線状、例えば、円弧状、方物線状に延伸しても良い。さらには、切込み部は線状でなくても良く、例えば、平面視「Ｖ」形状のような、先端が鋭角になっている切欠きにより構成して良い。但し、切込み部は、クロスオープン開始部内に形成されていることが好ましい。
【００４３】
また、本実施形態では切込み部１０５，１１５は、ブリスターパック１５の長辺に相当する端縁部にそれぞれ1つずつ形成されているが、その数は、１つに限定するものでなく、例えば、２つ以上形成されていても良いし、一方の端縁部のみに切込み部が１つ又は複数形成されていても良い。
さらには、切込み部がブリスターパックの長辺側の両端縁部に形成されている場合、その形成位置も短手方向において、同じ位置でも異なる位置でも良い。つまり、切込み部からクロスオープンしたときに収納部２１を横切ることができれば、その位置は特に限定するものではない。
【００４４】
切込み部１０５，１１５は、その先端が貼着部４０に到達しないことが好ましいが、蓋材の引き剥がしの際に意図しない方向への破断が生じない程度の切込み部であれば、当該貼着部へ切込み部が形成されていても構わない。
この場合、貼着部内の切込み部は、引き剥がし方向の外方、例えば、ピールオープン開始部側に傾斜している方が好ましい。
【００４５】
３−Ａ．容器本体
次に容器本体２０について説明する。
図４は、容器本体の平面図である。
容器本体２０は、薄く、且つ、略長方形状のフィルム材を利用して形成されており、その中央部が凹入してなる収納部２１と平坦部２２とからなる。
【００４６】
当該容器本体２０の長手方向及び短手方向の長さは、蓋体１０の長手方向及び短手方向の長さと略同じ又は同じである。つまり、蓋体１０の形状及び面積は、容器本体２０の平坦部２２の周縁に囲まれてできる形状及び面積と略同じである。
容器本体２０及び蓋体１０には、薄い略長方形主面を有するフィルム材、例えば、塩化ビニールからなるフィルム材が用いられている。
【００４７】
なお、ここでのブリスターパック１５の材質は、塩化ビニールからなるフィルム材であったが、他の材質であっても良い。他の材質としては、例えば、ポリエチレンテレフタレート、ポリスチロール、ポリプロピレン等の軟質フィルムの材質となるものを用いても構わない。なお、貼着部を熱融着により形成する場合には、蓋体と容器本体との内、少なくとも一方の材質に熱可塑性樹脂を用いる必要がある。
【００４８】
収納部２１は、例えば、上記フィルム材をプレス成形することで得られる。この収納部２１は、図３に示すように、プレシリンジ３０のカバー部材３５、シリンジ部３１、プランジャ部３２がそれぞれ収納部２１の内面部に接触可能となるようにプレシリンジ３０の外形状に沿った形状を有している。つまり、図４に示すように、収納部２１は、主に、シリンジ部３１に対応したシリンジ収納領域３１ａ、フランジ部３１２に対応したフランジ収納領域３１２ａ、プランジャ部３２に対応したプランジャ収納領域３２ａ、後端部３２３に対応した後端部収納領域３２３ａの４領域を備える。
【００４９】
ここで、図４に示すように、当該収納部２１には、短手方向の寸法が最も大きい位置Ｏを基準として、この位置Ｏから長手方向のピールオープン開始部３００側（図４では右側）へと所定距離Ｓ移った範囲で、プレシリンジ３０を取り出す時にプレシリンジ３０の外表面、特にフランジ部３１２が摺動するように、一対の傾斜部（図３参照）２０ｂが形成されている。
【００５０】
つまり、プレシリンジ３０は、そのプランジャ部３２側が、ブリスターパック１５のピールオープン開始部３００側に位置するように収納部２１に収納されるので、ブリスターパック１５の内面は、フランジ部３１２のピールオープン開始部３００側の幅が狭く、この幅狭部分に対応する箇所（位置Ｏからピールオープン開始部３００側）が、プレシリンジ３０の幅狭部分よりも緩やかにその幅が狭くなるように傾斜している。
【００５１】
具体的には、フランジ収納領域３１２ａからプランジャ収納領域３２ａとの間に位置する収納部２１の傾斜部２０ｂは、幅（短手方向の寸法）がフランジ部３１２及びプランジャ部３２の形状に合致したように変化する形状でなく、図４に示すように、フランジ収納領域３１２ａからプランジャ収納領域３２ａ側に進むにつれて幅Ｗ３が小さくなるように徐々に減小している。
【００５２】
４．本実施の形態の有効性について
上記構成を有するプレシリンジ収納体１は、ピールオープン開始部３００を起点として蓋体１０を引き剥がす方法（ピールオープン）を使用者が選択してプレシリンジ３０をブリスターパック1５から取り出す場合に、従来懸念されているような切込み部１０５，１１５から蓋体１０が破れるのを防止することができる。
【００５３】
これは、切込み部１０５，１１５が、蓋体１０と容器本体２０の平坦部２２とが貼着されていない非着領域１００内において、貼着部４０にまで到達しないように形成されていることで、ピールオープン時に切込み部１０５，１１５を起点とした破れを少なくできるからである。
つまり、ピールオープン時に蓋体１０を引っ張ると、ピールオープン開始部３００側から貼着部４０が順次剥がれていくが、その力は蓋体１０の中で貼着部４０が剥がれる部分付近に集中して作用する。しかし、切込み部１０５，１１５は、その先端が貼着部４０にまで達していないので、切込み部１０５，１１５に力が集中するのを避けられる。
【００５４】
これによって、正規の引き剥がし方向（ここでは、長手方向）に対して傾いた状態で、蓋体１０を引き剥がしても破れることは少なく、蓋体１０を容器本体２０に対して所定位置（例えば、容器本体２０の長手方向の中央）まで引き剥がすことができる。これにより、収納されているプレシリンジ３０を迅速且つ容易に取り出すことができる。
特に、緊急を要する場合が多い医療現場を想定すると、ブリスターパック１５からプレシリンジ３０を取り出す際に、使用者が蓋体１０のピールオープン開始部３００に相当する部分を把持して長手方向に沿って引き剥がしを行うことが困難となることが想像され、本発明に係るブリスターパック１５の有効性はさらに増すものとなる。
【００５５】
また、クロスオープン開始部１００，１１０は、ピールオープン開始部３００に対して独立して形成されているため、切欠き部１０５，１１５が形成されているブリスターパック１５の端縁１００ａ，１１０ａを除く範囲で貼着部４０に囲まれることになる。これにより、例えば、蓋体１０の隅部（図２における符号「１２」で示す。）を把持して、蓋体１０を容器本体２０から剥がそうとした場合、その力が直接切込み部１０５に作用することも無いので、ピールオープン時に蓋体１０が切込み部１０５，１１５からクロスオープン時のように破れることを防ぐことができる。なお、クロスオープン開始部は、ピールオープン開始部から貼着部分によって分離している方が好ましいが、前記クロースオープン開始部が、例えば、蓋体におけるピールオープン開始部に対応する部分の隅を把持して、ピールオープンしようとしたときに、蓋体の容器本体からの剥がれよりも先に、切込み部から蓋体が破れてしまわなければ、ピールオープン開始部と多少貼着部４０を介して接続していても良い。
【００５６】
さらに、収納されるプレシリンジ３０の形状に対応して、ブリスターパック１５の長辺に対応する端縁から貼着部４０の内周縁までの短手方向の寸法が、後端部３２３を収納する部分（図２におけるＬ２）の方が、中央部（図２におけるＬ１）より大きくなっている部分にクロスオープン開始部１００，１１０を設けているので、材料費のコストアップや大型化を招くこともない。しかも、ブリスターパック１５の大きさかを略そのままにして、このクロスオープン開始部１００，１１０を設けたことによる貼着部４０の面積の減少もない。
【００５７】
一方、収納部２１において、フランジ収納領域３１２ａからプランジャ収納領域３２ａに移るに従って幅が縮小する傾斜部２０ｂが形成されているので、プレシリンジ３０をブリスターパック１５から取り出す時にフランジ部３１２が収納部２１の内面に引っ掛ることなくスムーズに取り出すことができる。特に、上述したように緊急を要する医療現場においては、蓋体１０の引き剥がしを十分に行わずにプレシリンジ３０を取り出す際に、その操作性において大きな優位性を有する。
【００５８】
さらに、ピールオープン開始部３００と貼着部４０との境界線４０ａは、短手方向に一直線状でなく、図２の（ａ）に示すように、短手方向の中央部からブリスターパック１５の帳面居対応する端縁に移るに従って引き剥がし方向に入り込む形状をしているので、ピールオープン時の蓋体１０の引き剥がしがスムーズに行える。
【産業上の利用可能性】
【００５９】
本発明は、ブリスターパック内に医療器具を収納するための医療器具収納用ブリスターパックにおいて、当該ブリスターパックをピールオープンしたときに、迅速且つ容易に、内部の医療器具を取り出すのに利用できる。
【図面の簡単な説明】
【００６０】
【図１】プレシリンジ収納体の構成を説明するための分解斜視図である。
【図２】（ａ）は、プレシリンジ収納体の平面図であり、（ｂ）はプレシリンジ収納体の縦断面図である。
【図３】プレシリンジが配されている容器本体の平面図である。
【図４】容器本体の平面図である。
【図５】従来のプレシリンジ収納体におけるピールオープン時の蓋体の破れを説明するための図である。
【符号の説明】
【００６１】
１    プレシリンジ収納体
１０    蓋体
１５    ブリスターパック
２０    容器本体
２１    収納部
３０    プレシリンジ
３１    シリンジ部
３２    プランジャ部
４０    貼着部
１００，１１０    クロスオープン開始部
１０５，１１５    切込み部
３００    ピールオープン開始部
【図１】
2006168769.tif 000003
【図２】
2006168769.tif 000004
【図３】
2006168769.tif 000005
【図４】
2006168769.tif 000006
【図５】
2006168769.tif 000007